(57)【要約】      （修正有）【課題】ヘッドレストに連結される保護具の左右上連結部の内面間隔を、ヘッドレストの左右側部の外面間隔より狭くする。【解決手段】座部３Ａの後上部の背もたれ部３Ｂ及び背もたれ部３Ｂの上部のヘッドレスト３Ｃを有する座席３と、ヘッドレスト３Ｃから着座者の前を通って座部３Ａに至る保護具４とを備える。保護具４は左右上連結部４Ｕと下結合部４Ｄとを有し、左右上連結部４Ｕがヘッドレスト３Ｃの左右側部に設けた上受持部５に連結され、下結合部４Ｄが座部３Ａに設けた座部側固定具６に着脱自在に固定されている。ヘッドレスト３Ｃは背もたれ部３Ｂに対して後方揺動可能に支持され、保護具４の左右上連結部４Ｕの着座者側の内面αはヘッドレスト３Ｃの左右側部の外面βより内方に配置されている。【選択図】図２
2017144880.tif 000002
【特許請求の範囲】
【請求項１】
座部（３Ａ）、座部（３Ａ）の後上部の背もたれ部（３Ｂ）及び背もたれ部（３Ｂ）の上部のヘッドレスト（３Ｃ）を有する座席（３）と、ヘッドレスト（３Ｃ）から着座者の前を通って座部（３Ａ）に至る保護具（４）とを備えており、
前記保護具（４）は左右上連結部（４Ｕ）と下結合部（４Ｄ）とを有し、左右上連結部（４Ｕ）がヘッドレスト（３Ｃ）の左右側部に設けた上受持部（５）に連結され、下結合部（４Ｄ）が座部（３Ａ）に設けた座部側固定具（６）に着脱自在に固定されており、
前記ヘッドレスト（３Ｃ）は背もたれ部（３Ｂ）に対して後方揺動可能に支持され、
前記保護具（４）の左右上連結部（４Ｕ）の着座者側の内面（α）はヘッドレスト（３Ｃ）の左右側部の外面（β）より内方に配置されていることを特徴とする幼児用補助席。
【請求項２】
前記保護具（４）は、左右上連結部（４Ｕ）と中央のひとつの下結合部（４Ｄ）とを有して正面視略Ｙ字形状に形成され、左右上連結部（４Ｕ）がヘッドレスト（３Ｃ）の左右側部の下部に設けた左右上受持部（５）に連結され、下結合部（４Ｄ）に下取付具（７）が設けられ、この下取付具（７）が座部（３Ａ）に設けた座部側固定具（６）にその前側から着脱自在に固定されていることを特徴とする請求項１に記載の幼児用補助席。
【請求項３】
前記ヘッドレスト（３Ｃ）は背もたれ部（３Ｂ）に対して上下位置変更自在に支持されており、
前記保護具（４）の下取付具（７）は下結合部（４Ｄ）に対して上下位置変更自在に連結されていることを特徴とする請求項２に記載の幼児用補助席。
【請求項４】
前記保護具（４）の左右各上連結部（４Ｕ）は左右各上受持部（５）に対して前後位置変更自在に連結されており、
前記座部側固定具（６）は座部（３Ａ）に対して前後位置変更自在に連結されていることを特徴とする請求項１〜３のいずれか１項に記載の幼児用補助席。
【請求項５】
前記背もたれ部（３Ｂ）にはヘッドレスト取付機構（８）が設けられ、このヘッドレスト取付機構（８）は背もたれ部（３Ｂ）に固定のヘッドレスト受持部材（９）と、このヘッドレスト受持部材（９）に上下位置変更自在に固定されかつ上部にヘッドレスト（３Ｃ）を後方揺動可能に支持するヘッドレスト支持部材（１０）とが設けられていることを特徴とする請求項１〜４のいずれか１項に記載の幼児用補助席。
【発明の詳細な説明】
【技術分野】
【０００１】
本発明は、自転車等に装着される幼児用補助席に関する。
【背景技術】
【０００２】
従来の幼児用補助席としては、特許文献１に開示されているように、自転車のハンドルに着脱自在に取り付けられるシート本体を備え、該シート本体が、左右方向に略水平に延在するハンドル中心軸を傾動軸として一体的に前後方向に傾動自在に取り付けられた自転車の幼児用座席であって、前記シート本体がシートバック部を有し、該シートバック部の背面上部に上端部が枢着されたシートバーをさらに備え、該シートバーを前記シートバック部との枢着部を揺動中心として前後方向に揺動自在に取り付けた自転車の幼児用座席（請求項１）がある。
【０００３】
また、特許文献２に開示されているように、座部と背もたれ部とヘッドレストとを有する座席本体のヘッドレストに安全バーの上部を枢支し、安全バーを作用位置と開閉作用位置とに変更可能にし、作用位置の安全バーの下部を座部に連結できるようにした幼児自転車座席がある。
【先行技術文献】
【特許文献】
【０００４】
【特許文献１】特許第４４６０８７３号公報
【特許文献２】欧州特許公開ＥＰ１１６４０７５Ａ１
【発明の概要】
【発明が解決しようとする課題】
【０００５】
前記両従来技術は、幼児が乗降するときに、シートバー（安全バー、保護具）を幼児の頭部を支承するためのヘッドレストとともに（または、ヘッドレストに対して）シートバック部の上方へ揺動退避させることができるが、シートバーの左右上部はヘッドレストの左右側部の外面の外側に配置しなくてはならない。通常、ヘッドレストには厚手のクッション材が内装されるので、ヘッドレストの左右側部の外面間隔は広くなっており、シートバーの左右上部間隔は幼児の肩幅より広くなることがある。
【０００６】
本発明は、このような従来技術の問題点を解決できるようにした幼児用補助席を提供することを目的とする。
本発明は、ヘッドレストに連結される保護具の左右上連結部の内面間隔を、ヘッドレストの左右側部の外面間隔より狭くできるようにした幼児用補助席を提供することを目的とする。
【課題を解決するための手段】
【０００７】
本発明における課題解決のための具体的手段は、次の通りである。
第１に、座部３Ａ、座部３Ａの後上部の背もたれ部３Ｂ及び背もたれ部３Ｂの上部のヘッドレスト３Ｃを有する座席３と、ヘッドレスト３Ｃから着座者の前を通って座部３Ａに至る保護具４とを備えており、
前記保護具４は左右上連結部４Ｕと下結合部４Ｄとを有し、左右上連結部４Ｕがヘッドレスト３Ｃの左右側部に設けた上受持部５に連結され、下結合部４Ｄが座部３Ａに設けた座部側固定具６に着脱自在に固定されており、
前記ヘッドレスト３Ｃは背もたれ部３Ｂに対して後方揺動可能に支持され、
前記保護具４の左右上連結部４Ｕの着座者側の内面αはヘッドレスト３Ｃの左右側部の外面βより内方に配置されていることを特徴とする。
【０００８】
第２に、前記保護具４は、左右上連結部４Ｕと中央のひとつの下結合部４Ｄとを有して正面視略Ｙ字形状に形成され、左右上連結部４Ｕがヘッドレスト３Ｃの左右側部の下部に設けた左右上受持部５に連結され、下結合部４Ｄに下取付具７が設けられ、この下取付具７が座部３Ａに設けた座部側固定具６にその前側から着脱自在に固定されていることを特徴とする。
【０００９】
第３に、前記保護具４の下取付具７は下結合部４Ｄに対して上下位置変更自在に連結されていることを特徴とする。
第４に、前記保護具４の左右各上連結部４Ｕは左右各上受持部５に対して前後位置変更自在に連結されており、
前記座部側固定具６は座部３Ａに対して前後位置変更自在に連結されていることを特徴とする。
【００１０】
第５に、前記背もたれ部３Ｂにはヘッドレスト取付機構８が設けられ、このヘッドレスト取付機構８は背もたれ部３Ｂに固定のヘッドレスト受持部材９と、このヘッドレスト受持部材９に上下位置変更自在に固定されかつ上部にヘッドレスト３Ｃを後方揺動可能に支持するヘッドレスト支持部材１０とが設けられていることを特徴とする。
【発明の効果】
【００１１】
本発明によれば、ヘッドレストに連結される保護具の左右上連結部の間隔を、ヘッドレストの左右側部の外面間隔より狭くできる。
即ち、請求項１に係る発明は、ヘッドレスト３Ｃの左右側部に設けた上受持部５に連結される保護具４の左右上連結部４Ｕは、着座者側の内面αがヘッドレスト３Ｃの左右側部の外面βより内方に配置されているので、左右上連結部４Ｕの内面間隔はヘッドレスト３Ｃの左右側部の外面間隔より狭くできる。
【００１２】
請求項２に係る発明は、保護具４は正面視略Ｙ字形状に形成されていて、中央の下結合部４Ｄに設けた下取付具７が座部側固定具６にその前側から着脱自在に固定されているので、保護具４を着座者の肩の上から股の間に配置でき、しかも着座者の肩の上方から下ろしてきて股の間で座部３Ａに固定することができる。
請求項３に係る発明は、ヘッドレスト３Ｃは背もたれ部３Ｂに対して上下位置変更自在に支持され、かつ保護具４の下取付具７は下結合部４Ｄに対して上下位置変更自在に連結されているので、保護具４の高さを変更することができる。
【００１３】
請求項４に係る発明は、保護具４の左右各上連結部４Ｕは左右各上受持部５に対して前後位置変更自在に連結され、かつ座部側固定具６は座部３Ａに対して前後位置変更自在に連結されているので、保護具４の前後位置を変更することができる。
請求項５に係る発明は、ヘッドレスト３Ｃと背もたれ部３Ｂとの間にヘッドレスト取付機構８が設けられており、このヘッドレスト取付機構８によりヘッドレスト３Ｃを上下位置変更自在にかつ後方揺動可能に支持することができる。
【図面の簡単な説明】
【００１４】
【図１】本発明の第１実施形態を示す保護具張出状態の断面側面図である。
【図２】同正面図である。
【図３】同平面図である。
【図４】保護具収縮状態の断面側面図である。
【図５】ヘッドレスト取付機構の断面側面図である。
【図６】図５のＸ矢視図である。
【図７】保護具の上部の連結構造を示す断面側面図である。
【図８】図７のＹ−Ｙ線断面図である。
【図９】保護具の下部の連結構造を示す断面側面図である。
【図１０】本発明の第２実施形態を示す保護具張出状態の斜視図である。
【図１１】保護具の下部の連結構造を示す分解斜視図である。
【発明を実施するための形態】
【００１５】
以下、本発明の実施の形態を図面に基づいて説明する。
図１〜９において、本発明の第１実施形態の幼児用補助席１Ａを示しており、この幼児用補助席１Ａは大別して、ヘッドレスト３Ｃを有する座席３と、ヘッドレスト３Ｃから着座者の前を通って座部３Ａに至る保護具４とを備えている。
座席３は、着座者（幼児）の臀部を支える部分と脚で挟む部分とを有する座部３Ａと、この座部３Ａの後部から立ち上がっていて着座者の背中を支持する背もたれ部３Ｂと、この背もたれ部３Ｂの左右両側部から前方に張り出した肘掛け部３Ｄとを一体成形し、背もたれ部３Ｂの上部に別途成形したヘッドレスト３Ｃを装着している。
【００１６】
ヘッドレスト３Ｃは、着座者の頭部（通常はヘルメット１５を装着している。）の後頭部を支持する後中央部３Ｃａと、この後中央部３Ｃａから左右前方へ張り出してヘルメット１５の左右を覆う側部３Ｃｂとが一体成形されており、これら後中央部３Ｃａ及び左右側部３Ｃｂの内面（着座者の頭部側の面）には厚手のクッション材１６が設けられている。
【００１７】
図１、２、４〜６に示すように、前記背もたれ部３Ｂにはヘッドレスト取付機構８が設けられている。このヘッドレスト取付機構８は背もたれ部３Ｂの背面に固定のヘッドレスト受持部材９と、このヘッドレスト受持部材９に上下位置変更自在に固定されかつ上部にヘッドレスト３Ｃを後方揺動可能に支持するヘッドレスト支持部材１０と、ヘッドレスト支持部材１０をヘッドレスト受持部材９に固定するヘッドレスト締結具１１とで構成されている。
【００１８】
前記ヘッドレスト受持部材９は内部が上下方向に貫通した孔を有する四角筒形状であり、その前後壁に孔９ａが形成されている。
ヘッドレスト支持部材１０はヘッドレスト受持部材９内に上下位置変更自在に挿入されており、その挿入部分にはヘッドレスト受持部材９の孔９ａに対向可能な３個の丸孔１０ａと、この３個の丸孔１０ａを互いに連通する細溝１０ｂとが形成されている。
【００１９】
ヘッドレスト締結具１１は、ヘッドレスト受持部材９の後方から孔９ａ及び丸孔１０ａに挿入された締結部材１７と、ヘッドレスト受持部材９の前面に当接される止め板１８と、この止め板１８と締結部材１７とを固定するネジ部材１９とを有し、前記締結部材１７には断面小判形部１７ａが形成されている。
締結部材１７は、図６に示すように、断面小判形部１７ａがヘッドレスト支持部材１０の丸孔１０ａに適合嵌合する２つの外周円弧面ａ１と、細溝１０ｂを通過可能な間隔の２つの側面ａ２とを有する形状であり、外周円弧面ａ１が丸孔１０ａの孔面に当接しているとき、ヘッドレスト支持部材１０をヘッドレスト受持部材９に対して固定し、側面ａ２を細溝１０ｂと平行にしたとき、ヘッドレスト支持部材１０をヘッドレスト受持部材９に対して上下移動することができる。
【００２０】
締結部材１７はヘッドレスト受持部材９に取り付けられ、断面小判形部１７ａの外周円弧面ａ１を丸孔１０ａに適合することによりヘッドレスト支持部材１０を固定し、３つの丸孔１０ａを選択することにより、ヘッドレスト支持部材１０の上下位置を３カ所に変更設定することができる。
前記ヘッドレスト支持部材１０の上部には、ヘッドレスト３Ｃを背もたれ部３Ｂに対して後方揺動可能に支持する枢支部２０が設けられている。この枢支部２０はヘッドレスト支持部材１０の上端の左右一端から後上方に張り出し部２０ａが形成され、張り出し部２０ａに枢支軸２１の一端が支持され、ヘッドレスト支持部材１０の上端の左右他端に枢支軸２１の他端を支持する支持片２０ｂがボルト締結されている。
【００２１】
前記枢支軸２１の中途部にヘッドレスト３Ｃの背面下部に設けた枢支筒２３が嵌合しており、ヘッドレスト３Ｃは枢支軸２１廻りに前後揺動可能に支持され、図４の実線で示す起立状態の保護姿勢から２点鎖線（又はその前後位置）で示す後方傾倒状態の退避姿勢まで回動できる。ヘッドレスト３Ｃの保護姿勢は、保護具４の下結合部４Ｄが座部側固定具６に連結されることにより確保及び維持される。
【００２２】
前記保護具４は、図１〜４に示すように、合成樹脂又はアルミニュウム等の軽金属によって、正面視略Ｙ字形状でかつ側面視略への字形状に形成されたシートバーであり、上部が着座者の左右肩に対向していて左右一対の上連結部４Ｕが設けられ、下部が着座者の股の間に位置していて中央にひとつの下結合部４Ｄが設けられ、この中央の下結合部４Ｄに下取付具７が上下位置変更自在に設けられている。この保護具４は本体部分の内部が中実でも中空でもよく、その外周にはクッション材が添設される。
【００２３】
図１〜４、７、８において、保護具４の左右各上連結部４Ｕは、保護具４の本体部分より小径になっていて段部Ｕａを介して接続されており、この上連結部４Ｕは断面小判形又は楕円形であり、外側側面にネジ孔Ｕｂが形成され、ヘッドレスト３Ｃの側部３Ｃｂの下側に固定された上受持部５に前後位置変更自在に連結されている。
上受持部５は断面小判形又は楕円形の前後方向に貫通した孔を有する筒体であり、外面側に横孔５ａが穿孔されており、バー上締結具２５の雄ネジを横孔５ａから挿入して、上連結部４Ｕの前後２つのネジ孔Ｕｂの一方に螺合することにより、保護具４の左右各上連結部４Ｕをヘッドレスト３Ｃの上受持部５に連結固定できる。
【００２４】
バー上締結具２５の螺合するネジ孔Ｕｂを変更することにより、上受持部５に対する上連結部４Ｕの前後位置を変更することができる。
保護具４は、図４に示す状態が座席３に対して収縮した状態であり、図１は上方に張り出しかつ前方に張り出した保護具張出状態を示している。
前記上受持部５はヘッドレスト３Ｃの側部３Ｃｂ（クッション材１６を添設している。）の略真下側に配置されており、ヘルメット１５の左右側面に対向する左右上受持部５の内面はヘッドレスト３Ｃの側部３Ｃｂの内面と略面一になっている。
【００２５】
従って、保護具４の左右上連結部４Ｕの着座者側の内面αは、少なくともヘッドレスト３Ｃの左右側部の外面βより内方に配置されており、保護具４の左右上連結部４Ｕの内面αの左右間隔が、ヘッドレスト３Ｃの左右側部の外面βの左右間隔より狭く設定されている。
クッション材１６は圧縮変形されるので、その圧縮された状態を考慮して、保護具４の左右上連結部４Ｕの内面αの左右間隔は、ヘッドレスト３Ｃの左右側部３Ｃｂの内面の左右間隔より広く設定されており、保護具４はその左右上部がヘルメット１５の左右と接触することなく揺動でき、かつヘッドレスト３Ｃの左右側部３Ｃｂの外面βの左右間隔より狭い着座者の肩に対向できるようにしている。
【００２６】
前記上受持部５及び上連結部４Ｕは着座者の首に略相当する高さに位置しており、ヘッドレスト３Ｃの左右側部３Ｃｂのクッション材１６の内面間隔はヘルメット１５の左右側面間隔より広いので、上受持部５の内面αはヘッドレスト３Ｃの側部３Ｃｂのクッション材１６の内面と略面一になってよく、ヘルメット１５に対して保護具４を揺動できればよい。
【００２７】
図１〜４、９において、保護具４の中央の下結合部４Ｄの背面には溝Ｄａが形成され、この溝Ｄａの背面側が蓋Ｄｂで塞がれており、前記溝Ｄａに下取付具７が下側から上下位置変更自在に挿入されている。この下取付具７には３カ所に雌ネジ７ａが設けられ、下結合部４Ｄを貫通するバー下締結具２７の雄ネジが螺合されている。
前記下結合部４Ｄ及び下取付具７は、前記ヘッドレスト取付機構８のヘッドレスト受持部材９及びヘッドレスト支持部材１０と略平行に配置され、下取付具７の３カ所の雌ネジ７ａはヘッドレスト支持部材１０の３カ所の丸孔１０ａと位置対応しており、下取付具７に対して下結合部４Ｄの高さを変更するとき、ヘッドレスト受持部材９に対してヘッドレスト支持部材１０の高さも平行に変更される。
【００２８】
前記下取付具７の下部は座部３Ａに設けた座部側固定具６にロック具２９を介して着脱自在に連結され、座部側固定具６は座部３Ａに対して締結具３１を介して前後位置変更自在に固定されている。
座部側固定具６は、座部３Ａの上壁上面に載置される基板部６ａと、この基板部６ａから立ち上がっている装着部６ｂと、装着部６ｂの後下部で下方に突出した逆Ｔ字状の係止部６ｃとを有している。
【００２９】
座部３Ａの上壁には、図９に示すように、２つ丸孔を細溝で連通した係合孔３３と、座部側固定具６の係止部６ｃが係止されるＴ字状の係止孔３５とが形成されている。係止部６ｃを座部３Ａの上壁上面に係止した状態で、基板部６ａを係合孔３３の上側に配置し、基板部６ａを締結具３１を介して座部３Ａに固定する。装着部６ｂには下取付具７の下部を嵌合してロック具２９を介して装着する。
【００３０】
締結具３１は座部３Ａの上壁の下面に当接される止め板３１ａと、この止め板３１ａにネジ止めされる固定部材３１ｂとを有する。
固定部材３１ｂは、座部側固定具６の基板部６ａの孔を貫通して係合孔３３に入る断面小判形に形成されており、２つの円弧面は係合孔３３の２つの丸孔のどちらか一方で適合係合し、２つの平面を孔連通細溝と平行にして移動することにより係合する丸孔を変更できるようになっている。この固定部材３１ｂが係合孔３３内を移動して座部側固定具６の固定位置を変更する際、係止部６ｃは係止孔３５内を移動する。
【００３１】
前記ロック具２９はＴ字状（縦棒部分の先端に横棒部分の中央が連結した形状）のロック部材２９Ａの縦棒部分が下取付具７の下部を貫通して前方に突出し、その突出端にツマミ部２９Ｂがボルト締結されている。座部側固定具６の装着部６ｂが内部空洞になっていて、正面壁には水平方向に長い長孔３４が形成されており、この長孔３４はＴ字状のロック部材２９Ａの横棒部分が挿入可能であり、ロック部材２９Ａは長孔３４から挿入して縦棒部分を中心に横棒部分を９０°回動することにより、横棒部分が装着部６ｂの内部空洞内で回動して正面壁と係合可能になっている。
【００３２】
下取付具７の下部は、座部側固定具６の装着部６ｂに前方から宛がいながら、ロック具２９の横棒部分を水平にして長孔３４に挿入し、挿入後に９０°回動して横棒部分を上下方向に向けて正面壁と係合して、ロック具２９を装着部６ｂに対してロックする。ロック解除はロック具２９をツマミ部２９Ｂで縦棒部分を中心に９０°回動して、横棒部分を長孔３４から挿脱させることにより行なわれる。
【００３３】
図１０、１１において、本発明の第２実施形態の幼児用補助席１Ｂを示しており、この幼児用補助席１Ｂは前記幼児用補助席１Ａと、保護具４の左右上部の形状、中央下結合部４Ｄ、下取付具７、座部側固定具６等が異なっている。
保護具４の左右各上連結部４Ｕは断面小判形又は楕円形であるが、保護具４の本体部分との間に段部がなく、上連結部４Ｕの前端から保護具４の本体部分へ次第に大きくなるテーパ形状になっている。
【００３４】
保護具４の中央下結合部４Ｄは背面に凹部４０が形成され、この凹部４０の前面に上下複数の三角突起４１とバー下締結具２７の雄ネジが挿入可能な孔４２とが形成され、凹部４０の左右側面に上下方向の長溝４３が形成されている。
下取付具７には、前面に凹部４０の三角突起４１と係合可能な複数の三角切欠４４とバー下締結具２７が螺合可能な複数のネジ孔４５とが形成され、左右側面には左右長溝４３と係合しかつ上下摺動可能な突起４６が形成されている。
【００３５】
また、この下取付具７の下部にはロック孔４７が形成され、このロック孔４７にはＴ字形状のロック具２９の縦棒部分が挿入され、ロック具２９の横棒部分が後方へ突出している。
前記下取付具７は、突起４６を長溝４３内で移動することにより、下結合部４Ｄに対して上下位置変更することができ、変更した位置で三角突起４１に三角切欠４４を係合することにより位置が設定され、バー下締結具２７をネジ孔４５に対向させて螺合することにより、位置固定される。
【００３６】
座部側固定具６は基板部６ａと装着部６ｂとを有する。装着部６ｂは前方に開放された平面視コ字形状に形成され、かつ水平方向に長い長孔４８が形成されており、下取付具７の下部を前方から受け入れ、ロック具２９の横棒部分２９Ａを長孔４８に挿入し、９０°回動することにより、下取付具７の離脱を阻止できるようになっている。ロック解除は、ロック具２９を９０°回動するだけで行える。
【００３７】
座部側固定具６の基板部６ａは第１実施形態と同一構造であっても、ボルト固定構造であってもよく、前後位置変更可能に固定できればよい。
なお、本発明は前記実施形態における各部材の形状及びそれぞれの前後・左右・上下の位置関係は、図１〜１１に示すように構成することが最良である。しかし、前記実施形態に限定されるものではなく、部材、構成を種々変形したり、組み合わせを変更したりすることもできる。
【００３８】
例えば、座部側固定具６は剛体で形成されているが、弾性変形可能な部材で形成して、基板部６ａに対して装着部６ｂを前後揺動可能にしておけば、基板部６ａを座部３Ａの上壁上面に対して前後位置変更しなくても、下取付具７が連結された装着部６ｂが前後に揺動することにより、保護具４の左右上連結部４Ｕを上受持部５に対して前後位置変更可能になる。
【００３９】
下結合部４Ｄを細くして上下方向に長い長孔を形成し、下取付具７を筒材で形成して下結合部４Ｄに嵌合し、バー下締結具２７を下取付具７及び下結合部４Ｄの長孔に挿通し、下取付具７を下結合部４Ｄに上下位置変更可能に連結するように構成してもよい。
また、保護具４は正面視略Ｈ字形状に形成し、上連結部４Ｕと下結合部４Ｄとを左右に一対設け、座席３の座部３Ａに左右の下結合部４Ｄを連結する左右の座部側固定具６を設けることもできる。
【００４０】
さらに、ヘッドレスト締結具１１は、丸孔１０ａを細溝１０ｂで連通した孔と、断面小判形部１７ａを有する締結部材１７とで構成されており、座部側固定具６の締結具３１も同様な構造になっているが、それらはボルトと雌ネジとで構成してもよい。
【符号の説明】
【００４１】
１        幼児用補助席
３      座席
３Ａ    座部
３Ｂ    背もたれ部
３Ｃ    ヘッドレスト
３Ｃａ  後中央部
３Ｃｂ  側部
４      保護具
４Ｄ    下結合部
４Ｕ    上連結部
５      上受持部
６      座部側固定具
７      下取付具
８      ヘッドレスト取付機構
９      ヘッドレスト受持部材
１０    ヘッドレスト支持部材
１５    ヘルメット
１６    クッション材
１７    締結部材
２１    枢支軸
２９    ロック具
３１    締結具
α      上連結部の内面
β      ヘッドレストの側部の外面
【図１】
2017144880.tif 000003
【図２】
2017144880.tif 000004
【図３】
2017144880.tif 000005
【図４】
2017144880.tif 000006
【図５】
2017144880.tif 000007
【図６】
2017144880.tif 000008
【図７】
2017144880.tif 000009
【図８】
2017144880.tif 000010
【図９】
2017144880.tif 000011
【図１０】
2017144880.tif 000012
【図１１】
2017144880.tif 000013